(57)【特許請求の範囲】
【請求項１】
走査ライン毎に配列された複数の行電極と、前記行電極に交叉して配置された複数の列電極とを有し前記行電極と列電極の交点に１つの画素が形成されるプラズマディスプレイパネルの表示を行うプラズマディスプレイ装置において、
前記プラズマディスプレイパネルの１フィールド期間は、それぞれが走査期間と発光期間とを有し前記発光期間がそれぞれ重み付けされた複数のサブフィールドが前記発光期間の小さい順に順次前記１フィールドの先頭部から中央部側に配列された第１のサブフィールド群と、それぞれが走査期間と発光期間とを有し前記発光期間がそれぞれ前記第１のサブフィールド群の各サブフィールドの発光期間とほぼ同一値で重み付けされた複数のサブフィールドが発光期間の小さい順に順次前記１フィールドの中央部から末尾部側に配列された第２のサブフィールド群とに分割されるとともに、
前記画素を表示するための表示データを入力すると、この表示データの値に応じたサブフィールドを選択して選択したサブフィールドの発光期間に基づき前記画素を発光させる発光制御部を有し、
前記発光制御部は、
前記表示データを入力すると、この表示データの値を第１及び第２の値に分割して第１の値を第１のサブフィールド群のサブフィールドの発光期間として割り当て、かつ第２の値を第２のサブフィールド群のサブフィールドの発光期間として割り当てた第１の発光パターンと、第１の値を第２のサブフィールド群のサブフィールドの発光期間として割り当て、かつ第２の値を第１のサブフィールド群のサブフィールドの発光期間として割り当てた第２の発光パターンとを生成する生成手段と、
前記生成手段を制御して第１の発光パターンによる前記画素の発光と第２の発光パターンによる前記画素の発光とを交互に繰り返す制御手段と
を備えたことを特徴とするプラズマディスプレイ装置。
【請求項２】
請求項１において、
前記生成手段は、第１のサブフィールド群の発光サブフィールド数と第２のサブフィールド群の発光サブフィールド数の合計数が多く、かつ前記第１の値と第２の値との差が最小となるように前記表示データの値を分割することを特徴とするプラズマディスプレイ装置。
【請求項３】
請求項１において、
前記制御手段は、水平方向に第１及び第２の画素が隣接している場合は、第１の画素を第１及び第２の発光パターンの一方の発光パターンで発光させ、かつ第２の画素を他方の発光パターンで発光させることを特徴とするプラズマディスプレイ装置。
【請求項４】
請求項１において、
前記制御手段は、垂直方向に第１及び第２の画素が隣接している場合は、第１の画素を第１及び第２の発光パターンの一方の発光パターンで発光させ、かつ第２の画素を他方の発光パターンで発光させることを特徴とするプラズマディスプレイ装置。
【請求項５】
請求項１において、
前記制御手段は、水平方向に第１及び第２の画素が隣接し、かつ前記第１及び第２の画素に対してそれぞれ垂直方向に第３及び第４の画素が隣接している場合は、第１及び第４の画素を第１及び第２の発光パターンの一方の発光パターンで発光させ、かつ第２及び第３の画素を他方の発光パターンで発光させることを特徴とするプラズマディスプレイ装置。
【請求項６】
請求項３ないし５の何れかにおいて、
前記制御手段は、第１の発光パターンと第２の発光パターンとをフィールド毎に交互に切り替えることを特徴とするプラズマディスプレイ装置。
【発明の詳細な説明】
【０００１】
【発明の属する技術分野】
本発明は、プラズマディスプレイ装置に関し、特に動画偽輪郭の低減が可能なプラズマディスプレイ装置に関する。
【０００２】
【従来の技術】
この種のプラズマディスプレイパネル（以下、ＰＤＰ）は、走査ライン毎に複数の行電極を配列するとともに、前記行電極に交叉して複数の列電極を配列し、行電極と列電極の交点に１画素に対応した放電セルを形成している。このようなＰＤＰの放電セルは発光と非発光の２つの状態しか有しないため、１フィールドの表示期間（１フレーム期間）を、点灯期間（維持発光期間；発光輝度に比例）の相対比が各々異なる複数のサブフィールドで分割することにより中間の階調表示を得るようにしている。ここで、アナログ映像信号を入力するとこれをＡ／Ｄ変換することによりサブフィールド数に応じたビット数の画像データに変換し、この変換した画像データに基づいて対応の画素を適宜のサブフィールドにより点灯させて中間の階調を表すようにしている。
【０００３】
図１１の例では、８個の階調ビットにより２５６階調表示を行う例であり、最下位の階調ビット（１ビット目）がＳＦ１に対応するとともに、以下順に、２ビット目の階調ビットがＳＦ２に、３ビット目の階調ビットがＳＦ３に、４ビット目の階調ビットがＳＦ４に、５ビット目の階調ビットがＳＦ５に、６ビット目の階調ビットがＳＦ６に、７ビット目の階調ビットがＳＦ７にそれぞれ対応し、最上位の階調ビット（８ビット目）がＳＦ８に対応する。各サブフィールドＳＦ１〜ＳＦ８は、維持発光期間がそれぞれ例えば階調数（発光輝度の相対比：発光パルス（維持パルス）数に比例）１，２，４，８，１６，３２，６４，１２８として重み付けされている。
【０００４】
【発明が解決しようとする課題】
このように、ＰＤＰ装置ではＰＤＰの放電セルが発光と非発光の２つの状態しか有しないことから、中間の階調を表現するため、前述したような、１フィールド期間を複数のサブフィールドに分割するとともに、各サブフィールドにおいて画素データの輝度レベルに対応した重み付けを行いその重み付けに応じた発光回数で対応の画素（即ち、対応の放電セル）を発光させるようにしている。ここで、各サブフィールドの維持発光期間が図１１のように重み付けされている場合、画素を階調数１２８で発光させるときにはサブフィールドＳＦ８のみで発光を実施させ、階調数１２７で発光させるときにはサブフィールドＳＦ８を除く他のサブフィールドＳＦ１〜ＳＦ７で発光を実施させる。即ち、１フィールド期間内において、階調数１２８で発光させるべき画素が発光している期間中は、階調数１２７で発光させるべき画素は非発光状態となるとともに、階調数１２７で発光させるべき画素が発光している期間中は、階調数１２８で発光させるべき画素は非発光状態となる。
【０００５】
したがって、階調数１２７で発光させるべき画素と、階調数１２８で発光させるべき画素とが互いに隣接していると、その領域には動画偽輪郭と呼ばれる画質劣化が生じることがある。また、階調数１２７で発光していた画素の階調数が１２８に変化した場合、或いは階調数１２８で発光していた画素の階調数が１２７に変化した場合も前述の偽輪郭が発生する。
【０００６】
また、図１０に示すように、サブフィールド数を１２とし、各サブフィールドＳＦ１，ＳＦ２，ＳＦ３，ＳＦ４，ＳＦ５，ＳＦ６，ＳＦ７，ＳＦ８，ＳＦ９，ＳＦ１０ＳＦ１１，ＳＦ１２の重み付けをそれぞれ、１，２，４，８，１６，３２，３２，３２，３２，３２，３２，３２とした場合も、前述の駆動方法では、入力映像レベルが６３では発光サブフィールドはＳＦ１〜ＳＦ６となり、入力映像レベルが６４の場合は発光サブフィールドはＳＦ６，ＳＦ７となって、入力映像レベルが６３から６４に変化すると、サブフィールドＳＦ１〜ＳＦ５が発光状態から非発光状態に変化する。こうした発光状態から非発光状態、或いは非発光状態から発光状態に変化するサブフィールドの数が多くなると、レベル差の大きい動画偽輪郭が発生する。
【０００７】
こうした動画偽輪郭などの画質劣化を防止するために、特開２０００−２３１３６２には、１フィールド内のサブフィールドが非発光から発光に反転することがないような駆動方法が提案されている。即ち、この駆動方法は、１フィールド期間内において、発光すべき画素はその輝度レベルに応じた期間の間連続発光させる方法である。この駆動方法では、サブフィールド数が１２の場合、１２段階の階調が表現可能であるが、テレビ映像のような２５６階調が必要な場合は誤差拡散法と呼ばれる方法により不足分の階調を補っている。
【０００８】
しかしながら、このような誤差拡散法は擬似的に階調数を増加させているものであるため、解像度の劣化やドット状のノイズが発生するという問題があった。
したがって、本発明は、プラズマディスプレイ装置において解像度の劣化やドット状のノイズの発生を抑制するとともに、発生する動画偽輪郭を低減することを目的とする。
【０００９】
【課題を解決するための手段】
このような課題を解決するために本発明は、走査ライン毎に配列された複数の行電極と、行電極に交叉して配置された複数の列電極とを有し行電極と列電極の交点に１つの画素が形成されるＰＤＰの表示を行うプラズマディスプレイ装置において、ＰＤＰの１フィールド期間は、発光期間がそれぞれ重み付けされた複数のサブフィールドが前記発光期間の小さい順に順次１フィールドの先頭部から中央部側に配列された第１のサブフィールド群と、発光期間がそれぞれ第１のサブフィールド群の各サブフィールドの発光期間とほぼ同一値で重み付けされた複数のサブフィールドが発光期間の小さい順に順次１フィールドの中央部から末尾部側に配列された第２のサブフィールド群とに分割され、かつ画素を表示するための表示データを入力すると、この表示データの値に応じたサブフィールドを選択して画素を発光させる発光制御部を備え、発光制御部は、表示データを入力すると、この表示データの値を第１及び第２の値に分割して第１の値を第１のサブフィールド群のサブフィールドの発光期間として割り当て、かつ第２の値を第２のサブフィールド群のサブフィールドの発光期間として割り当てた第１の発光パターンと、第１の値を第２のサブフィールド群のサブフィールドの発光期間として割り当て、かつ第２の値を第１のサブフィールド群のサブフィールドの発光期間として割り当てた第２の発光パターンとを生成する生成手段と、生成手段を制御して第１の発光パターンによる画素の発光と第２の発光パターンによる画素の発光とを交互に繰り返す制御手段とを有するものである。
【００１０】
この場合、生成手段は、第１のサブフィールド群の発光サブフィールド数と第２のサブフィールド群の発光サブフィールド数の合計数が多く、かつ第１の値と第２の値との差が最小となるように表示データの値を分割するものである。
また、水平方向に第１及び第２の画素が隣接している場合、制御手段は、第１の画素を第１及び第２の発光パターンの一方のパターンで発光させ、かつ第２の画素を他方のパターンで発光させるものである。
また、垂直方向に第１及び第２の画素が隣接している場合、制御手段は、第１の画素を第１及び第２の発光パターンの一方のパターンで発光させ、かつ第２の画素を他方のパターンで発光させるものである。
また、水平方向に第１及び第２の画素が隣接し、かつ第１及び第２の画素に対してそれぞれ垂直方向に第３及び第４の画素が隣接している場合、制御手段は、第１及び第４の画素を第１及び第２の発光パターンの一方のパターンで発光させ、第２及び第３の画素を他方のパターンで発光させるものである。
また、制御手段は、第１の発光パターンと第２の発光パターンとをフィールド毎に交互に切り替えるものである。
【００１１】
【発明の実施の形態】
以下、本発明について図面を参照して説明する。
図１は、本発明に係るプラズマディスプレイ装置の要部構成を示すブロック図である。本プラズマディスプレイ装置は、図１に示すように、プラズマディスプレイパネル（以下、ＰＤＰ）１と、ＰＤＰ１を駆動する駆動部２と、アナログ映像信号がＡ／Ｄ変換された画素データａを入力するとこのデータａの値に基づきＰＤＰ１の表示対象の画素が異なる発光パターンで発光されるように駆動部２を制御する発光制御部３とからなる。
【００１２】
図２は、本プラズマディスプレイ装置を構成するＰＤＰ１及び駆動部２のブロック図である。ＰＤＰ１には、図２に示すように、複数の行電極Ｘ１〜Ｘｍ，Ｙ１〜Ｙｍが配列されるとともに、前記行電極Ｘ１〜Ｘｍ，Ｙ１〜Ｙｍに交叉して複数のデータ電極である列電極Ｄ１〜Ｄｎが配列され、行電極と列電極の交点に１画素に対応した放電セルが形成される。また、ＰＤＰ１を駆動する駆動部２は、列電極Ｄ１〜Ｄｎを駆動するドライバ２１と、行電極Ｘ１〜Ｘｍを駆動するドライバ２２と、行電極Ｙ１〜Ｙｍを駆動するドライバ２３とから構成される。
【００１３】
このようなＰＤＰ１では複数の放電セル（画素）からなる１つの画面の表示期間である１フィールド期間を複数のサブフィールドに分割し、各サブフィールドにより画素の階調表示が実現される。
（第１の実施の形態）
第１の実施の形態では、図３（ａ）に示すように、１フィールド期間を１４個のサブフィールドＳＦ１〜ＳＦ１４に分割し２５６階調の表示を可能にするものである。ここで、第１の実施の形態では、各サブフィールドＳＦ１〜ＳＦ１４を、それぞれ階調数（即ち、発光期間）が同様に重み付けされた第１のサブフィールド群と第２のサブフィールド群に分割し、第１及び第２のサブフィールド群を図３（ｂ）に示すようにそれぞれ、１フィールド（１フレーム）の前半部及び後半部に割り当てる。
【００１４】
即ち、図３（ａ）に示すように、第１のサブフィールド群内の階調数がそれぞれ１：２：４：８：１６：３２：６４として重み付けされたサブフィールドＳＦ１，ＳＦ２，ＳＦ３，ＳＦ４，ＳＦ５，ＳＦ６，ＳＦ７が、１フィールドの先頭部から中央部側に順次割り付けられ、第２のサブフィールド群内の階調数がそれぞれ１：２：４：８：１６：３２：６４として重み付けされたサブフィールドＳＦ８，ＳＦ９，ＳＦ１０，ＳＦ１１，ＳＦ１２，ＳＦ１３，ＳＦ１４が、１フィールドの中央部から末尾側に順次割り付けられる。
【００１５】
このようにサブフィールドを構成することにより、第１のサブフィールド群と第２のサブフィールド群とで同一の重み付けの階調数を有するサブフィールドが存在することから、階調表示を行う場合のサブフィールドの組み合わせが増加する。また、画素データの合計値ｘが例えばｘ＝ｙ＋ｚとなる場合には１フィールドの前半部の第１のサブフィールド群の各サブフィールドの階調数として値ｙを、１フィールドの後半部の第２のサブフィールド群の各サブフィールドの階調数として値ｚをそれぞれ割り当てることが可能になる。この場合、発光制御部３が１フィールドの前半部の第１のサブフィールド群の画素データの合計値（即ち、値ｙ）と、１フィールドの後半部の第２のサブフィールド群の画素データ値の合計値（即ち、値ｚ）との差が最小になるような発光パターンを選択して発光させれば、画素のデータ値が変化したときの発光重心の移動量が減少し、これにより動画偽輪郭を低減できる。
【００１６】
ところで、発光パターンＡによる発光の際に値ｙが値ｚより大きい場合は階調数の中心値を示す前記発光重心は１フィールドの前半部に存在している。こうした１フィールドの前半部に発光重心が存在している状態で、第１のサブフィールド群の各サブフィールドの階調数として値ｚを、第２のサブフィールド群の各サブフィールドの階調数として値ｙをそれぞれ割り当てた発光パターンＢにより発光を行えば、前記発光重心は１フィールドの後半部に移動する。逆に、発光パターンＡによる発光の際に値ｙが値ｚより小さい場合は発光重心は１フィールドの後半部に存在している。こうした１フィールドの後半部に発光重心が存在している状態で、第１のサブフィールド群の各サブフィールドの階調数として値ｚを、第２のサブフィールド群の各サブフィールドの階調数として値ｙをそれぞれ割り当てた発光パターンＢにより発光を行えば、発光重心は１フィールドの前半部に移動する。
【００１７】
こうした発光重心の移動方向が互いに逆方向の発光パターンＡ、Ｂを交互に用いるようにすれば、発生する動画偽輪郭の極性が反転するとともに、発生する動画偽輪郭のレベルが増加する方向か減少する方向が反転する。したがって、発光パターンＡと発光パターンＢとを隣接する２つの画素の発光に同時に適用すれば、各画素で発生する動作偽輪郭が相殺され、動作偽輪郭が抑制できるとともに全ての階調表現が可能になる。また、本発明では、従来例のような誤差拡散方法を用いないことから、こうした誤差拡散方法に起因する解像度の劣化やドット状のノイズの発生を抑制できる。
【００１８】
（第２の実施の形態）
図３（ｃ）は、第２の実施の形態を示すもので、１フィールドの期間を１２個のサブフィールドＳＦ１〜ＳＦ１２に分割し、画素の２５６階調表示を可能にするものである。ここで、各サブフィールドＳＦ１〜ＳＦ１２は、第１の実施の形態と同様、第１のサブフィールド群と第２のサブフィールド群に分割され、第１のサブフィールド群は１フィールドの前半部に、第２のサブフィールド群は１フィールドの後半部に割り当てられる。第１のサブフィールド群はサブフィールドＳＦ１，ＳＦ２，ＳＦ３，ＳＦ４，ＳＦ５，ＳＦ６からなり、それぞれ階調数が１：４：８：１６：３２：６４として重み付けされ、サブフィールドＳＦ１からＳＦ６まで順次１フィールドの先頭から中央部側に割り当てられる。一方、第２のサブフィールド群は、サブフィールドＳＦ７，ＳＦ８，ＳＦ９，ＳＦ１０，ＳＦ１１，ＳＦ１２からなり、それぞれ階調数が２：４：８：１６：３２：６４として重み付けされ、サブフィールドＳＦ７からＳＦ１２まで順次１フィールドの中央部から末尾部側に割り当てられる。
【００１９】
ここで、図１に示す発光制御部３は画素データａを入力すると、画素データａの値が６３の場合は図３（ｃ）に示すように、この入力値６３を発光パターンＡで発光させるためのデータ値６３Ａと、発光パターンＢで発光させるためのデータ値６３Ｂとに分ける。そして、発光パターンＡの場合はデータ値６３を構成する各値を第１のサブフィールド群のＳＦ１，ＳＦ２，ＳＦ５の各階調数（階調数の合計は、１＋４＋３２＝３７）と、第２のサブフィールド群のＳＦ７，ＳＦ９，ＳＦ１０の各階調数（階調数の合計は、２＋８＋１６＝２６）に割り当てて、階調数を割り当てた各サブフィールドにより画素を発光させる。また、発光パターンＢの場合はデータ値６３を構成する各値を第１のサブフィールド群のＳＦ１，ＳＦ３，ＳＦ４の各階調数（階調数の合計は、１＋８＋１６＝２５）と第２のサブフィールド群のＳＦ７，ＳＦ８，ＳＦ１１の各階調数（階調数の合計は、２＋４＋３２＝３８）に割り当てて、階調数を割り当てた各サブフィールドにより画素を発光させる。
【００２０】
すなわち、発光パターンＡのときには第１のサブフィールド群の発光サブフィールド数と第２のサブフィールド群の発光サブフィールド数の合計数が多く、かつ第１のサブフィールド群の各サブフィールドの階調数の合計と第２のサブフィールド群の各サブフィールドの階調数の合計の差が小さくなるように、１フィールドの前半部の第１のサブフィールド群に値３７を割り当て、かつ１フィールドの後半部の第２のサブフィールド群に値２６を割り当てる。また、発光パターンＢのときにも、発光パターンＡと同様に、第１のサブフィールド群の発光サブフィールド数と第２のサブフィールド群の発光サブフィールド数の合計数が多く、かつ第１のサブフィールド群の各サブフィールドの階調数の合計と第２のサブフィールド群の各サブフィールドの階調数の合計の差が小さくなるように値を割り当てる。さらに発光パターンＢにおいては、発光パターンＡの場合の発光重心（値３７＞値２６であるため、１フィールドの前半部に存在している）が移動するように、１フィールドの前半部の第１のサブフィールド群に値２５を割り当て、かつ１フィールドの後半部の第２のサブフィールド群に値３８を割り当てる。
【００２１】
したがって、第１のサブフィールド群の各サブフィールドの階調数の合計と第２のサブフィールド群の各サブフィールドの階調数の合計の差が小さくなるように画素データ値が割り当てられることから、第１の実施の形態と同様、画素のデータａの値が変化したときの発光重心の移動量が減少し、これにより動画偽輪郭を低減できる。また、発光パターンＡにおける発光重心が１フィールドの前半部にある場合は発光重心を１フィールドの後半部に移動可能な発光パターンＢを設けることにより、発生する動画偽輪郭の極性を反転できるとともに、発生する動画偽輪郭のレベルが増加する方向か減少する方向かを反転できる。したがって、隣接する一方の画素を発光パターンＡで発光し、他方の画素を発光パターンＢで発光させるようにすれば、各画素で発生する動作偽輪郭が相殺され、動作偽輪郭が抑制できるとともに全ての階調表現が可能になる。なお、発光パターンＡにおける発光重心が１フィールドの後半部にある場合はこの発光重心を１フィールドの前半部に移動可能な発光パターンＢを設ける。
【００２２】
次に、画素データａの値が６４の場合も図３（ｃ）に示すように、この入力値６４を発光パターンＡで発光させるためのデータ値６４Ａと、発光パターンＢで発光させるためのデータ値６４Ｂとに分ける。そして、発光パターンＡの場合はデータ値６４を構成する各値を第１のサブフィールド群のサブフィールドＳＦ２，ＳＦ５の各階調数（階調数の合計は、４＋３２＝３６）と第２のサブフィールド群のサブフィールドＳＦ８，ＳＦ９，ＳＦ１０の各階調数（階調数の合計は、４＋８＋１６＝２８）に割り当てて、階調数を割り当てた各サブフィールドにより画素を発光させる。
【００２３】
また、発光パターンＢの場合はデータ値６４を構成する各値を第１のサブフィールド群のＳＦ２，ＳＦ３，ＳＦ４の各階調数（階調数の合計は、４＋８＋１６＝２８）と第２のサブフィールド群のＳＦ８，ＳＦ１１の各階調数（階調数の合計は、４＋３２＝３６）に割り当てて、階調数を割り当てた各サブフィールドにより画素を発光させる。
【００２４】
すなわち、画素データａの値が値６４である場合も画素データ値が６３の場合と同様、発光パターンＡのときには第１のサブフィールド群の各サブフィールドの階調数の合計と第２のサブフィールド群の各サブフィールドの階調数の合計の差が小さくなるように、１フィールドの前半部の第１のサブフィールド群に値３６を割り当て、かつ１フィールドの後半部の第２のサブフィールド群に値２８を割り当てる。また、発光パターンＢのときにも、発光パターンＡと同様、第１のサブフィールド群の各サブフィールドの階調数の合計と第２のサブフィールド群の各サブフィールドの階調数の合計の差が小さくなるように値を割り当てる。ここで、発光パターンＢの場合は、さらに発光パターンＡの場合の発光重心（１フィールドの前半部に存在している）が移動するように、１フィールドの前半部の第１のサブフィールド群に値２８を割り当て、かつ１フィールドの後半部の第２のサブフィールド群に値３６を割り当てる。
【００２５】
この結果、画素のデータａの値が変化したときの発光重心の移動量が減少し、これにより動画偽輪郭を減少できる。また、発生する動画偽輪郭の極性を反転できるとともに、発生する動画偽輪郭のレベルが増加する方向か減少する方向かを反転できる。したがって、隣接する一方の画素を発光パターンＡで発光し、他方の画素を発光パターンＢで発光させるようにすれば、各画素で発生する動作偽輪郭が相殺され、動作偽輪郭が抑制できるとともに全ての階調表現が可能になる。
なお、以上の例は画素データとして値６３及び値６４を入力した場合の例であるが他のデータ値を入力した場合も同様であり、第１のサブフィールド群の発光サブフィールド数と第２のサブフィールド群の発光サブフィールド数の合計数が多く、かつ第１のサブフィールド群の各サブフィールドの階調数の合計と第２のサブフィールド群の各サブフィールドの階調数の合計の差が小さくなるように、さらに発光パターンＡと発光パターンＢとで発光重心が移動するように、入力した画素データの値を第１及び第２のサブフィールド群の各サブフィールドの階調数として割り当てる。
【００２６】
図４は、水平方向に隣接する各画素の一方を発光パターンＡで発光させ、同時に他方を発光パターンＢで発光させるとともに、垂直方向に隣接する各画素の一方を発光パターンＡで発光させ、同時に他方を発光パターンＢで発光させるように構成したものである。即ち、図４のように、第１の水平ライン上で画素Ｐ１，Ｐ２が隣接し、かつ第１の水平ラインに隣接する第２の水平ライン上の前記画素Ｐ１，Ｐ２に対応する位置に画素Ｐ３，Ｐ４が設けられている場合、画素Ｐ１をパターンＡで発光させたときには、水平方向に隣接する画素Ｐ２及び垂直方向に隣接する画素Ｐ３を発光パターンＢで発光させる。ここで、画素Ｐ４は、画素Ｐ２とは垂直方向に隣接し、かつ画素Ｐ３とは水平方向に隣接しているため、これらの画素Ｐ２，Ｐ３の発光パターンＢの反転パターンである発光パターンＡで発光させる。このように水平方向及び垂直方向に隣接する各画素を互いに異なる発光パターンで発光させることにより、各画素で発生する動画偽輪郭が相殺され、この結果、動画偽輪郭を低減できる。
【００２７】
図７は、図４のように水平方向及び垂直方向に隣接する各画素を互いに異なる発光パターンで発光させる場合に、フィールド毎に発光パターンを反転させるように構成したものである。即ち、フィールドｎ＋１では画素Ｐ１，Ｐ４を発光パターンＡ、かつ画素Ｐ２，Ｐ３を発光パターンＢでそれぞれ発光させた後、次のフィールドｎ＋２では画素Ｐ１，Ｐ４を発光パターンＢ、かつ画素Ｐ２，Ｐ３を発光パターンＡでそれぞれ発光させる。さらに次のフィールドｎ＋３ではフィールドｎ＋１の場合のパターンと同様なパターンで発光させる。このように隣接画素をフィード毎に異なるパターンで発光させることにより、各画素で発生する動画偽輪郭がさらに相殺され、この結果、動画偽輪郭をさらに低減できる。
【００２８】
図５は、水平方向に隣接する各画素の一方を発光パターンＡで発光させ、同時に他方を発光パターンＢで発光させるように構成したものである。即ち、第１の水平ライン上で画素Ｐ１，Ｐ２が隣接し、かつ第１の水平ラインに隣接する第２の水平ライン上の前記画素Ｐ１，Ｐ２に対応する位置に画素Ｐ３，Ｐ４が設けられている場合、画素Ｐ１，Ｐ３をパターンＡで発光させたときには、これらの画素Ｐ１，Ｐ３と水平方向に隣接する画素Ｐ２，Ｐ４を発光パターンＢで発光させる。このように水平方向に隣接する各画素を互いに異なる発光パターンで発光させることにより、各画素で発生する動画偽輪郭が相殺され、この結果、動画偽輪郭を低減できる。
【００２９】
図８は、図５のように水平方向に隣接する各画素を互いに異なる発光パターンで発光させる場合に、フィールド毎に発光パターンを反転させるように構成したものである。即ち、フィールドｎ＋１では画素Ｐ１，Ｐ３を発光パターンＡ、かつ画素Ｐ２，Ｐ４を発光パターンＢでそれぞれ発光させた後、次のフィールドｎ＋２では画素Ｐ１，Ｐ３を発光パターンＢ、かつ画素Ｐ２，Ｐ４を発光パターンＡでそれぞれ発光させる。さらに次のフィールドｎ＋３ではフィールドｎ＋１の場合のパターンと同様なパターンで発光させる。このように隣接画素をフィード毎に異なるパターンで発光させることにより、各画素で発生する動画偽輪郭がさらに相殺され、この結果、動画偽輪郭をさらに低減できる。
【００３０】
図６は、垂直方向に隣接する各画素の一方を発光パターンＡで発光させ、同時に他方を発光パターンＢで発光させるように構成したものである。即ち、第１の水平ライン上で画素Ｐ１，Ｐ２が隣接し、かつ第１の水平ラインに隣接する第２の水平ライン上の前記画素Ｐ１，Ｐ２に対応する位置に画素Ｐ３，Ｐ４が設けられている場合、画素Ｐ１，Ｐ２をパターンＡで発光させたときには、これらの画素Ｐ１，Ｐ２と垂直方向に隣接する画素Ｐ３，Ｐ４を発光パターンＢで発光させる。このように垂直方向に隣接する各画素を互いに異なる発光パターンで発光させることにより、各画素で発生する動画偽輪郭が相殺され、この結果、動画偽輪郭を低減できる。
【００３１】
図９は、図６のように垂直方向に隣接する各画素を互いに異なる発光パターンで発光させる場合に、フィールド毎に発光パターンを反転させるように構成したものである。即ち、フィールドｎ＋１では画素Ｐ１，Ｐ２を発光パターンＡ、かつ画素Ｐ３，Ｐ４を発光パターンＢでそれぞれ発光させた後、次のフィールドｎ＋２では画素Ｐ１，Ｐ２を発光パターンＢ、かつ画素Ｐ３，Ｐ４を発光パターンＡでそれぞれ発光させる。さらに次のフィールドｎ＋３ではフィールドｎ＋１の場合のパターンと同様なパターンで発光させる。このように隣接画素をフィード毎に異なるパターンで発光させることにより、各画素で発生する動画偽輪郭がさらに相殺され、この結果、動画偽輪郭をさらに低減できる。
【００３２】
【発明の効果】
以上説明したように本発明によれば、走査ライン毎に配列された複数の行電極と、行電極に交叉して配置された複数の列電極とを有し行電極と列電極の交点に１つの画素が形成されるＰＤＰの表示を行う装置において、ＰＤＰの１フィールド期間を、発光期間がそれぞれ重み付けされた複数のサブフィールドが発光期間の小さい順に順次１フィールドの先頭部から中央部側に配列された第１のサブフィールド群と、発光期間がそれぞれ第１のサブフィールド群の各サブフィールドの発光期間とほぼ同一値で重み付けされた複数のサブフィールドが発光期間の小さい順に順次１フィールドの中央部から末尾部側に配列された第２のサブフィールド群とに分割するとともに、画素データを入力すると、この画素データの値を第１及び第２の値に分割して第１の値を第１のサブフィールド群のサブフィールドの発光期間として割り当て、かつ第２の値を第２のサブフィールド群のサブフィールドの発光期間として割り当てた第１の発光パターンと、第１の値を第２のサブフィールド群のサブフィールドの発光期間として割り当て、かつ第２の値を第１のサブフィールド群のサブフィールドの発光期間として割り当てた第２の発光パターンとを生成し、第１の発光パターンによる画素の発光と第２の発光パターンによる画素の発光とを交互に繰り返すようにしたので、動画偽輪郭を低減できるとともに、誤差拡散方法に起因する従来例のような解像度の劣化やドット状のノイズの発生を抑制できる。
【００３３】
この場合、第１のサブフィールド群の発光サブフィールド数と第２のサブフィールド群の発光サブフィールド数の合計数が多く、かつ第１の値と第２の値との差が最小となるように画素データの値を分割するようにしたので、画素データの値が変化したときの発光重心の移動量を減少させることができ、これにより動画偽輪郭を低減できる。
また、水平方向に第１及び第２の画素が隣接している場合、第１の画素を第１及び第２の発光パターンの一方のパターンで発光させ、かつ第２の画素を他方のパターンで発光させるようにしたので、水平方向に隣接する各画素で発生する動画偽輪郭が相殺され、この結果、動画偽輪郭を低減できる。
また、垂直方向に第１及び第２の画素が隣接している場合、第１の画素を第１及び第２の発光パターンの一方のパターンで発光させ、かつ第２の画素を他方のパターンで発光させるようにしたので、垂直方向に隣接する各画素で発生する動画偽輪郭が相殺され、この結果、動画偽輪郭を低減できる。
また、水平方向に第１及び第２の画素が隣接し、かつ第１及び第２の画素に対してそれぞれ垂直方向に第３及び第４の画素が隣接している場合、第１及び第４の画素を第１及び第２の発光パターンの一方のパターンで発光させ、第２及び第３の画素を他方のパターンで発光させるようにしたので、隣接する各画素で発生する動画偽輪郭が相殺され、この結果、動画偽輪郭を低減できる。
また、第１の発光パターンと第２の発光パターンとをフィールド毎に交互に切り替えるようにしたので、隣接する各画素で発生する動画偽輪郭がさらに相殺され、この結果、動画偽輪郭をさらに低減できる。
【図面の簡単な説明】
【図１】  本発明に係るプラズマディスプレイ装置の構成を示すブロック図である。
【図２】  上記プラズマディスプレイ装置を構成するＰＤＰ及び駆動部の詳細構成を示す図である。
【図３】  上記プラズマディスプレイ装置におけるサブフィールドの配列構成と画素の発光パターンの例を示す図である。
【図４】  水平・垂直方向に隣接する各画素の発光パターン例を示す図である。
【図５】  水平方向に隣接する各画素の発光パターン例を示す図である。
【図６】  垂直方向に隣接する各画素の発光パターン例を示す図である。
【図７】  図４に示す発光パターンをフィールド毎に反転する例を示す図である。
【図８】  図５に示す発光パターンをフィールド毎に反転する例を示す図である。
【図９】  図６に示す発光パターンをフィールド毎に反転する例を示す図である。
【図１０】  従来のサブフィールドの配列構成と画素の発光パターンの例を示す図である。
【図１１】  一般的なサブフィールドの配列構成を示す図である。
【符号の説明】
１…ＰＤＰ、２…駆動部、３…発光制御部、２１〜２３…ドライバ、ＳＦ１〜ＳＦ１４…サブフィールド、Ｐ１〜Ｐ４…画素、ａ…画素データ。
【図１】
0004795577.tif 000002
【図２】
0004795577.tif 000003
【図３】
0004795577.tif 000004
【図４】
0004795577.tif 000005
【図５】
0004795577.tif 000006
【図６】
0004795577.tif 000007
【図７】
0004795577.tif 000008
【図８】
0004795577.tif 000009
【図９】
0004795577.tif 000010
【図１０】
0004795577.tif 000011
【図１１】
0004795577.tif 000012